(57)【要約】【課題】  継手本体とキャップ部材とが組付けられた状態で管体が挿込まれる管継手であっても、流体の漏洩を抑制し得る管継手を提供する。【解決手段】  挿込まれた管体２Ａ，２Ｂの引抜きを規制するロックリング５と、漏洩した流体が外部へ漏洩することを抑制するシールリングとを備え、継手本体３およびキャップ部材４は、組付けられた状態で、軸心方向で互いに接触する当接面を備え、前記当接面の少なくとも一部は当接してシールされる当接シール面とされている。継手本体３およびキャップ部材４の隙間は、当接シール面により確実にシールされることで、管体２Ａの最奥端面１５と継手本体３の段付面１６との隙間から流体が漏洩する場合でも、継手本体３およびキャップ部材４の隙間からの、管継手１の外部への流体の漏洩が抑制できる。【選択図】  図１
2019090503.tif 000002
【特許請求の範囲】
【請求項１】
内側奥部に管体の最奥端と当接する段付面を有する筒状で金属製の継手本体と、該継手本体の開口部にねじ締結により組付けられる筒状で金属製のキャップ部材とを備え、
前記継手本体およびキャップ部材が組付けられた状態で、前記管体が挿込まれる挿入空間が形成される管継手であって、
挿込まれた前記管体の外周面に係止して該管体の引抜きを規制するロックリングと、挿込まれた前記管体の外周面と前記挿入空間の周面に接触して、前記管体の最奥端と前記段付面との隙間から漏洩した流体が前記管継手の外部へ漏洩することを抑制するシールリングとをさらに備え、
前記継手本体およびキャップ部材は、組付けられた状態で、軸心方向で互いに接触する当接面を、前記挿入空間の径方向外方に備え、
前記当接面の少なくとも一部は当接してシールされる当接シール面とされたことを特徴とする管継手。
【請求項２】
前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられる管継手であって、
前記当接シール面は、前記雌ねじと雄ねじとのねじ締結部分に対し、前記段付面側で且つ径方向内方に配置された請求項１に記載の管継手。
【請求項３】
前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられる管継手であって、
前記当接シール面は、前記雌ねじと雄ねじとのねじ締結部分に対し、前記段付面と反対側で且つ径方向外方に配置された請求項１に記載の管継手。
【請求項４】
前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられる管継手であって、
前記継手本体に前記キャップ部材を組付けた状態において、前記継手本体の開口部の内周面と前記キャップ部材の外周面との隙間をシールする外側シールリングが介装されている請求項１ないし請求項３の何れか１項に記載の管継手。
【発明の詳細な説明】
【技術分野】
【０００１】
本発明は管継手に関し、特に、挿込まれた管体の引抜きを規制するロックリングを備えた管継手に関する。
【背景技術】
【０００２】
この種の管継手として、下記特許文献１に記載の技術が提案されている。この管継手は、内側奥部に管体の最奥端と当接する段付面を有する筒状の継手本体と、継手本体の開口部にねじ締結により組付けられる筒状のキャップ部材とを備える。この管継手では、継手本体とキャップ部材とが組付けられた状態で、管体が挿込まれる。
【０００３】
また、管継手は、挿込まれた管体の最奥端と段付面との隙間から漏洩した流体が、管継手の外部へ漏洩することを抑制するシールリングと、挿込まれた管体の引抜きを規制するロックリングとを備える。
【０００４】
シールリングは、継手本体の内周面に形成されたシール収容部に装着されている。ロックリングは、キャップ部材の内周面に形成されたロックリング収容部に装着されている。ロックリングは、環状板の中心孔の周囲に形成された複数の爪を有している。
【０００５】
上記構成の管継手によれば、管体の挿込み時にロックリングの爪が管体の外周面に押されて弾性的に拡径することで、管体を、その最奥端が段付面に当接するまで挿込むことができる。管体の挿通後に、管体に引抜き方向の力が働けば、ロックリングの爪の先端が管体の外表面に食い込み、管体が引抜かれることを規制する。
【先行技術文献】
【特許文献】
【０００６】
【特許文献１】特開２０１６−２２３５４４号公報
【発明の概要】
【発明が解決しようとする課題】
【０００７】
上記したような、継手本体とキャップ部材とが組付けられた状態で管体が挿込まれる管継手の構成では、挿込まれた管体の最奥端と段付面との隙間から漏洩した流体が、継手本体とキャップ部材との隙間を通り、管継手の外部へ漏洩することがある。
【０００８】
そこで本発明は、継手本体とキャップ部材とが組付けられた状態で管体が挿込まれる管継手であっても、流体の漏洩を抑制し得る管継手の提供を目的とする。
【課題を解決するための手段】
【０００９】
本発明の管継手は、内側奥部に管体の最奥端と当接する段付面を有する筒状で金属製の継手本体と、該継手本体の開口部にねじ締結により組付けられる筒状で金属製のキャップ部材とを備え、前記継手本体およびキャップ部材が組付けられた状態で、前記管体が挿込まれる挿入空間が形成され、挿込まれた前記管体の外周面に係止して該管体の引抜きを規制するロックリングと、挿込まれた前記管体の外周面と前記挿入空間の周面に接触して、前記管体の最奥端と前記段付面との隙間から漏洩した流体が前記管継手の外部へ漏洩することを抑制するシールリングとをさらに備え、前記継手本体およびキャップ部材は、組付けられた状態で、軸心方向で互いに接触する当接面を、前記挿入空間の径方向外方に備え、前記当接面の少なくとも一部は当接してシールされる当接シール面とされたことを特徴としている。
【００１０】
上記構成を備える本発明の管継手では、継手本体の開口部にキャップ部材をねじ締結により組付けると、管体が挿込まれる挿入空間が形成される。この管継手の挿入空間に管体を挿込む際には、シールリングは、管体の外周面および挿入空間の周面との間で押圧されて径方向に圧縮される。ロックリングでは、その爪が管体の外周面により弾性的に径方向外方へ押されて管体の挿通が許容され、これにより管体の最奥端を継手本体の内側奥部の段付面に当接させるまで、管体を挿入空間に挿入させられる。
【００１１】
上記のようにして、管体を管継手の挿入空間に挿込んだ使用状態において、流体が管体内を流れ、管体の最奥端開口と継手本体の段付面との隙間から流体が漏洩する場合、管体の外周面と挿入空間の周面に接触して圧縮されているシールリングにより、管体の外周面と挿入空間の周面の間からの、管継手の外部への流体の漏洩が抑制できる。
【００１２】
また、本発明の管継手では、継手本体およびキャップ部材という別部材どうしの当接面が軸心方向で当接するよう、継手本体の開口部にキャップ部材がねじ締結により組付けられ、当接面の少なくとも一部は当接シール面とされている。このため、継手本体およびキャップ部材の当接面どうしの隙間は、当接シール面により確実にシールされるから、管体の最奥端開口と継手本体の段付面との隙間から流体が漏洩する場合でも、継手本体およびキャップ部材の当接面どうしの隙間からの、管継手の外部への流体の漏洩が抑制できる。
【００１３】
本発明の管継手では、前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられ、前記当接シール面は、前記雌ねじと雄ねじとのねじ締結部分に対し、前記段付面側で且つ径方向内方に配置された構成を採用できる。
【００１４】
上記構成の管継手では、雌ねじと雄ねじとのねじ締結部分に対し、段付面側で且つ径方向内方に配置された当接シール面により、継手本体およびキャップ部材の当接面どうしの隙間からの、管継手の外部への流体の漏洩が抑制できる。
【００１５】
本発明の管継手では、前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられ、前記当接シール面は、前記雌ねじと雄ねじとのねじ締結部分に対し、前記段付面と反対側で且つ径方向外方に配置された構成を採用できる。
【００１６】
上記構成の管継手では、雌ねじと雄ねじとのねじ締結部分に対し、段付面と反対側で且つ径方向外方に配置された当接シール面により、継手本体およびキャップ部材の当接面どうしの隙間からの、管継手の外部への流体の漏洩が抑制できる。
【００１７】
本発明の管継手では、前記継手本体の開口部の内周面の一部に雌ねじが形成され、前記キャップ部材の外周面の一部に雄ねじが形成されて、前記雌ねじと雄ねじとのねじ締結により、前記継手本体の開口部に前記キャップ部材が組付けられ、前記継手本体に前記キャップ部材を組付けた状態において、前記継手本体の開口部の内周面と前記キャップ部材の外周面との隙間をシールする外側シールリングが介装された構成を採用できる。
【００１８】
上記構成を備えた管継手によれば、継手本体にキャップ部材を組付けた状態において、継手本体およびキャップ部材の当接面どうしの隙間は、当接シール面によりシールされるとともに、外側シールリングにより確実にシールされる。
【発明の効果】
【００１９】
本発明の管継手によれば、シールリングにより、管体の外周面と挿入空間の周面の間からの管継手の外部への流体の漏洩が抑制でき、当接シール面により、継手本体およびキャップ部材の当接面どうしの隙間からの管継手の外部への流体の漏洩が抑制できる。
【図面の簡単な説明】
【００２０】
【図１】本発明の第一の実施形態に係る管継手の一部破断側面図である。
【図２】同ロックリングの単体図であり、（ａ）は側面図、（ｂ）は正面図である。
【図３】本発明の第二の実施形態に係る管継手の一部破断側面図である。
【図４】本発明の第三の実施形態に係る管継手の一部破断側面図である。
【図５】本発明の第四の実施形態に係る管継手の一部破断側面図である。
【図６】本発明の第五の実施形態に係る管継手の一部破断側面図である。
【発明を実施するための形態】
【００２１】
以下、本発明の一実施形態に係る管継手を、図１ないし図５を参照しつつ説明する。本実施形態に係る管継手１は、管体２Ａ，２Ｂの一例である医療用ガス銅管どうし、冷媒用銅管どうし等を継ぐために好適に用いられる。なお、これら、医療用ガス、冷媒（ガス、液体の双方を含む）等は、例えば水道水の水圧に対し、一般的に高圧であることが知られている。
【００２２】
図１に示すように、第一の実施形態に係る管継手１は、継手本体３と、キャップ部材４と、複数種のシールリングと、複数のロックリング５，５とを備える。管継手１は、接続される管体２Ａ，２Ｂどうしを継ぐために、管体２Ａ，２Ｂの軸心方向（長手方向）に沿う方向の中心位置において、左右対称構造の管継手部６Ａ、６Ｂを、一対且つ一体として構成されている。このため、以下の説明において、中心位置に対し一方側の管継手部６Ａの構成の説明をもって、他方側の構成の説明を兼用する。
【００２３】
なお、一方側の管継手部６Ａおよび他方側の管継手部６Ａは、左右対称構成とし一体とした継手本体３を有するが、以下の説明において、左右対称構成とし一体とした継手本体３であっても、一方側の管継手部６Ａの構成の説明において継手本体３とした場合は、一方側の管継手部６Ａが占める領域の継手本体３を表す。
【００２４】
以下、一方側の管継手部６Ａの構成を説明する。管継手部６Ａは、継手本体３と、複数のロックリング５と、キャップ部材４と、複数種のシールリングとを備える。継手本体３は金属製であり、内部に本体側挿入空間７を有した筒状に形成されている。継手本体３は、管体２Ａを挿込み始める端側（便宜上、以下「一次側」と称する）である本体大径部８と、管体２Ａの挿込み終える奥側（便宜上、以下「二次側」と称する）である本体小径部９とを一体的に備える。本体大径部８は本体小径部９に比べて大径に形成されている。
【００２５】
継手本体３の本体大径部８（一次側端部）の内部は、開口部１０とされている。本体大径部８の内周面の一部である、二次側寄りの軸心方向に沿う領域に、雌ねじが形成されている。本体大径部８の一次側端の内周面に、外側シールリングとしての大径シールリング１１を外径側部分で収容するための、環状の本体側大径シール収容凹部１２が形成されている。本体大径部８の一次側端面は、キャップ部材４のキャップ側第一当接面１３と当接する、本体側第一当接面１４である。
【００２６】
開口部１０は、キャップ部材４の二次側領域を挿入させる円柱状の大径空間である。この開口部１０の二次側に、本体側挿入空間７が連通して形成されている。継手本体３の本体側挿入空間７の内側奥部は縮径されて、挿入される管体２Ａの最奥端面１５と当接する環状の段付面１６が形成されている。段付面１６は、管継手１の継手本体３の軸心方向に沿う方向の中心位置に、縮径されるよう形成された段付壁１７の一方側の側面であり、軸心方向に直交する平面内に配置されている。
【００２７】
継手本体３は、ロックリング収容部１８を有する。ロックリング収容部１８は、本体大径部８と本体小径部９との間に配置されている。ロックリング収容部１８は、本体側挿入空間７における開口部１０側の端位置に形成されている。ロックリング収容部１８は、本体側挿入空間７より大径で開口部１０よりも小径に形成されている。ロックリング収容部１８の径は、ロックリング５の外径に比べてわずかに大きく設定されることで、ロックリング収容部１８にロックリング５が収容可能とされている。ロックリング収容部１８の軸心方向に沿う長さは、複数（この場合、２個）のロックリング５を収容可能に設定されている。
【００２８】
ロックリング収容部１８における段付面１６側の端面は、ロックリング５が二次側へ移動することを阻止する係止面１９である。この係止面１９は、段付面１６に対し一次側に配置され、環状に形成されている。係止面１９は、軸心方向に直交する平面内に配置されている。
【００２９】
ここで、ロックリング５の構成について説明する。複数のロックリング５は同様の構成であるので、一方のロックリング５の構成の説明を他方のロックリング５の説明に兼用する。
【００３０】
ロックリング５は金属製である。図１、図２（ａ）（ｂ）に示すように、ロックリング５は、軸心方向に沿う環状のフランジ２０と、フランジ２０の端部から中心側へ折曲して形成された環状の爪保持部２１と、爪保持部２１の内周面に折曲して形成された複数の爪２２とを備えている。
【００３１】
特に、各爪２２は、爪保持部２１の内周面に、周方向に等間隔を置いて配置され、管体２Ａの挿通方向（二次側）に向かって傾斜するように折曲げ加工されている。爪２２の外径線は、円弧状に形成されている。爪２２は、その先端どうしを結ぶ仮想円Ｃ（図面上の二点鎖線）を、管体２Ａの外径よりもわずかに小径とするよう形成されている。このロックリング５が、ロックリング収容部１８に軸心方向で接触するよう並べて配置されている。
【００３２】
ロックリング収容部１８（本体側挿入空間７）と開口部１０とは、軸心方向に直交し、段付面１６、係止面１９と平行な環状の本体側第二当接面２３とされている。本体側第二当接面２３は、キャップ部材４のキャップ側第二当接面２４と当接して、当接シール面の一例であるメタルタッチシール面を構成する一方側の面である。このため、本体側第二当接面２３は、平滑面に加工されている。本体側第二当接面２３は、雌ねじに対し段付面１６側で、且つ径方向内方に配置されている。
【００３３】
次に、キャップ部材４の構成を説明する。キャップ部材４は、継手本体３の開口部１０に、ねじ締結により組付けられる。キャップ部材４は金属製である。キャップ部材４は、内部をキャップ側挿入空間２５とした筒状に形成されている。キャップ側挿入空間２５は、継手本体３にキャップ部材４を組付けた状態で本体側挿入空間７に連通する。キャップ部材４は、補助シールリング２６を装着する補助シール収容部２７を有する減縮部２８と、減縮部２８の二次側に一体的に形成されたキャップ大径部２９と、キャップ大径部２９の二次側に一体的に形成されたキャップ小径部３０とを備える。
【００３４】
減縮部２８の外周面は、一次側へ向けて減縮されていることで円錐状に形成されている。減縮部２８の内周面に、補助シールリング２６を装着する補助シール収容部２７が形成されている。補助シールリング２６は、管体２Ａの外周面に接触して、管体２Ａのうち、管継手１の外部においてその外周面に発生する結露を、管継手１の内部に浸入させないよう補助する。
【００３５】
キャップ大径部２９は、工具で把持される部分であり、キャップ部材４は、キャップ大径部２９を工具で把持して回転させられることで、継手本体３に螺着される。
【００３６】
キャップ小径部３０は、キャップ大径部２９に比べて小径に形成されている。キャップ大径部２９とキャップ小径部３０とは、キャップ側第一当接面１３を介して一体的に形成されている。キャップ側第一当接面１３は、軸心方向に直交する平面内にあって環状に形成されている。キャップ小径部３０の外周面の一次側端寄り、すなわちキャップ側第一当接面１３寄りに、大径シールリング１１を内径側部分で収容するための、環状のキャップ側大径シール収容凹部３１が形成されている。キャップ小径部３０の外周面のうち、キャップ側大径シール収容凹部３１に対し二次側に、雌ねじに螺合する雄ねじが形成されている。
【００３７】
キャップ小径部３０における二次側の端面である小径部二次側端面３２は、環状に形成された面である。小径部二次側端面３２は、本体側第二当接面２３に比べて径方向に沿う長さを長く設定されている。小径部二次側端面３２は、本体側第二当接面２３に軸心方向で当接するキャップ側第二当接面２４と、一次側のロックリング５の爪保持部２１の一次側面に当接可能な押え面３３とを備えている。キャップ側第二当接面２４と押え面３３との間には、環状の凹部（符号省略）が形成されている。
【００３８】
キャップ側第二当接面２４は、メタルタッチシール面を構成する他方側の面である。このため、キャップ側第二当接面２４は、平滑面に加工されている。キャップ側第二当接面２４は、雄ねじに対し段付面１６側で、且つ径方向内方に配置されている。キャップ側第二当接面２４の径方向外方部、径方向内方部には面取りが施されている。
【００３９】
キャップ部材４の内周面に、小径シールリング３５，３５の収容凹部３４が軸心方向に離間して配置され、収容凹部３４，３４ごとに小径シールリング３５装着されている。二次側に配置されている収容凹部３４（小径シールリング３５）と小径部二次側端面３２とは軸心方向に離間して配置されている。
【００４０】
本実施形態における管継手１では、上記構成の管継手部６Ａが左右対称として一対・一体構造として構成されている。管継手１では、継手本体３のロックリング収容部１８にロックリング５，５が、軸心方向に並べて装着される。キャップ部材４では、収容凹部３４，３４に、小径シールリング３５，３５が装着され、補助シール収容部２７に補助シールリング２６が装着され、キャップ側大径シール収容凹部３１に、大径シールリング１１がその内径側部分で装着される。このように継手本体３、キャップ部材４にそれぞれ各部材を装着した状態で、継手本体３の開口部１０にキャップ部材４のキャップ小径部３０を挿入し、雄ねじと雌ねじのねじ締結により組付ける。これにより、継手本体３とキャップ部材４とが一体化され、本体側挿入空間７とキャップ側挿入空間２５とが連通して、管体２Ａの挿入空間が形成される。
【００４１】
継手本体３の開口部１０にキャップ部材４を、雄ねじと雌ねじのねじ締結により組付ける際には、キャップ大径部２９を工具で把持するようにし、キャップ部材４を回転させて、継手本体３にキャップ部材４を締付ける。そうすると、大径シールリング１１の外径側部分が本体側大径シール収容凹部１２に収容される。
【００４２】
また、大径シールリング１１は、キャップ側大径シール収容凹部３１の外周面および本体側大径シール収容凹部１２の内周面の間で挟持されて、圧縮される。これにより、雄ねじと雌ねじの螺合部分であるねじ締結部分３６に対し、軸心方向外方において本体大径部８の内周面とキャップ小径部３０の外周面との隙間がシールされる。軸心方向外方とは、一方側の管継手部６Ａにおいては一次側（管体２Ａを流れる流体が流入する側）であり、他方側の管継手部６Ａにおいては、一方側の管継手部６Ａと左右対称構造であることから、二次側（管体２Ａを流れる流体が流出する側）である。
【００４３】
以下の作用の説明は、一方側の管継手部６Ａにおいて行う。上記のように、継手本体３およびキャップ部材４を組付けて管継手１とし、管継手１のキャップ側挿入空間２５から本体側挿入空間７へ（一次側から二次側へ）、管体２Ａを挿込む。管体２Ａをキャップ側挿入空間２５へ挿込むと、管体２Ａの外周面と、補助シール収容部２７の外周面との間で補助シールリング２６が弾性的に圧縮される。管体２Ａをさらに挿込むと、管体２Ａの外周面と収容凹部３４，３４の外周面との間で小径シールリング３５，３５が圧縮される。
【００４４】
二次側に配置されている収容凹部３４と小径部二次側端面３２とは軸心方向に離間して配置されているから、管体２Ａをさらに挿込むと、管体２Ａの先端側部分は、キャップ小径部３０における収容凹部３４と小径部二次側端面３２との間の内周面に案内されて、ロックリング５，５に至る。
【００４５】
ロックリング５，５では、爪２２が管体２Ａの外周面により弾性的に径方向外方へ押されて管体２Ａの挿通が許容されるから、管体２Ａの最奥端面１５が段付面１６に当接するまで、管体２Ａを挿入空間（本体側挿入空間７）に挿入させることができる。管体２Ａの挿通後は、管体２Ａに引抜き方向の力が働くと、爪２２の先端が管体２Ａの外表面に食い込んで、管体２Ａが引抜かれることを阻止する。そして、ロックリング５，５の一次側への移動は、爪保持部２１の一次側面に押え面３３が当接することで阻止される。
【００４６】
本実施形態の管継手１は、継手本体３およびキャップ部材４を組付けておいて、管体２Ａを所定長だけ差込む操作で引抜きを規制できる。このような管継手１は、ワンタッチ継手とも称される。なお、他方側の管継手部６Ａにも、一方側の管継手部６Ａと同様に、管体２Ａが挿込まれる。
【００４７】
本実施形態における管継手１では、挿入空間に管体２Ａを挿込む際に、補助シールリング２６、小径シールリング３５，３５は、管体２Ａの外周面および挿入空間の周面との間で押圧されて径方向に圧縮される。
【００４８】
管体２Ａを管継手１の挿入空間に挿込んだ使用状態において、流体が管体２Ａ内に供給されて流れ、管体２Ａの最奥端面１５と継手本体３の段付面１６との隙間から流体が漏洩する場合、管体２Ａの外周面と挿入空間の周面に接触して圧縮されている補助シールリング２６、小径シールリング３５，３５により、管体２Ａの外周面と挿入空間の周面の間からの、管継手１の外部への流体の漏洩が抑制できる。
【００４９】
本実施形態に係る管継手１では、ロックリング５，５に対し一次側に小径シールリング３５，３５が配置されている。すなわち、管継手１に管体２Ａを挿込み終えた際に、管体２Ａの外周面において小径シールリング３５，３５が接触する部分には、ロックリング５，５の爪２２との接触による傷がない。このため、キャップ部材４の内側と管体２Ａの外周面との隙間は、小径シールリング３５，３５により確実にシールされる。
【００５０】
ところで、本実施形態における管継手１は、継手本体３およびキャップ部材４という別部材どうしを軸心方向で組付けられる。この際、キャップ側第一当接面１３と本体側第一当接面１４とが軸心方向で当接する。また、キャップ側第二当接面２４と本体側第二当接面２３とが軸心方向で当接する。そして、キャップ側第二当接面２４および本体側第二当接面２３は、当接シール面であるメタルタッチシール面を構成する。
【００５１】
このため、継手本体３およびキャップ部材４の隙間は、ねじ締結部分３６に対し径方向内方位置で、且つ挿入空間の径方向外方位置において、メタルタッチシール面により確実にシールされる。よって、管体２Ａの最奥端面１５と継手本体３の段付面１６との隙間から流体が漏洩する場合でも、継手本体３およびキャップ部材４の隙間からの、管継手１の外部への流体の漏洩が抑制できる。なお、仮にメタルタッチシール面から流体が漏洩した場合は、大径シールリング１１により漏洩が抑制される。
【００５２】
本発明の管継手１は、上記実施形態に限定されない。図３は、本発明の第二の実施形態に係る管継手１を表している。第二の実施形態に係る管継手１が第一の実施形態の管継手１と異なる構成は、メタルタッチシール面である。第一の実施形態に係る管継手１では、キャップ側第二当接面２４および本体側第二当接面２３により、メタルタッチシール面を構成した場合を例示した。
【００５３】
第二の実施形態におけるメタルタッチシール面は、キャップ側第一当接面１３および本体側第一当接面１４により構成される。キャップ側第一当接面１３および本体側第一当接面１４は平滑面に形成され、本体側第一当接面１４の径方向外方部、径方向内方部には面取りが施されている。第二の実施形態におけるメタルタッチシール面は、キャップ側第一当接面１３および本体側第一当接面１４により構成されるから、ねじ締結部分３６に対し径方向外方位置で、且つ挿入空間の径方向外方位置に配置されている。
【００５４】
大径シールリング１１は第一の実施形態と同じ位置に配置されている。大径シールリング１１は、キャップ側大径シール収容凹部３１の外周面および本体側大径シール収容凹部１２の内周面の間で挟持されて、圧縮される。これにより、雄ねじと雌ねじの螺合部分であるねじ締結部分３６に対し、軸心方向外方において本体大径部８の内周面とキャップ小径部３０の外周面との隙間がシールされる。
【００５５】
第二の実施形態に係る管継手１では、管体２Ａの最奥端面１５と継手本体３の段付面１６との隙間から漏洩した流体は、大径シールリング１１により外部への漏洩が抑制され、仮に流体が大径シールリング１１から外部へ向けて移動しても、キャップ側第一当接面１３および本体側第一当接面１４により構成されるメタルタッチシール面により、継手本体３およびキャップ部材４の隙間からの、管継手１の外部への流体の漏洩が抑制できる。その他の作用効果は第一の実施形態と同様であるので、繰返さない。
【００５６】
図４は、第三の実施形態に係る管継手１を表している。第三の実施形態に係る管継手１では、メタルタッチシール面が、二次側へ向けて縮径されるテーパー面である。キャップ部材４のキャップ小径部３０における二次側端の外周が二次側へ向けて縮径されるキャップ錐面４０とされ、継手本体３の本体小径部９とロックリング収容部１８との境界面が二次側へ向けて縮径される本体錐面４１とされている。キャップ錐面４０および本体錐面４１は、平滑面に形成されている。
【００５７】
この場合、メタルタッチシール面は、ねじ締結部分３６に対し径方向内方位置で、且つ挿入空間の径方向外方位置に配置されており、メタルタッチシール面により、継手本体３およびキャップ部材４の隙間は確実にシールされる。
【００５８】
図５は、第四の実施形態に係る管継手１を表している。第一の実施形態における管継手１では、本体側第二当接面２３を、軸心方向に直交し、段付面１６、係止面１９と平行な環状の平面とし、キャップ側第二当接面２４を、平滑面の径方向外方部、径方向内方部に面取りを施す断面形状とした。これに対し、第四の実施形態における管継手１では、本体側第二当接面２３が、平滑面の径方向外方部、径方向内方部において面取りを施された断面形状とされている。また、押え面３３の径方向外方部が軸心方向に直交し、段付面１６、係止面１９と平行な環状の平滑面とされて、キャップ側第二当接面２４とされている。そして、本体側第二当接面２３およびキャップ側第二当接面２４が、メタルタッチシール面とされている。
【００５９】
この場合、メタルタッチシール面は、ねじ締結部分３６に対し径方向内方位置で、且つ挿入空間の径方向外方位置に配置されており、メタルタッチシール面により、継手本体３およびキャップ部材４の隙間は確実にシールされる。
【００６０】
図６は、第五の実施形態に係る管継手１を表している。第五の実施形態に係る管継手１では、第三の実施形態に係る管継手１における本体錐面４１を平滑面として、本体側第二シール面がメタルタッチシール面として用いられる構成である。この場合、本体錐面４１の傾斜は軸心方向に対し、所定の傾斜角度（例えば、軸心方向に対して４５°の傾斜）に設定される。また、キャップ部材４の小径部二次側端面３２全体は、軸心方向に直交し、段付面１６、係止面１９と平行な環状の平滑面とされている。そして、キャップ小径部３０の小径部二次側端面３２と、キャップ小径部３０の外周面との連続部分の角部４０ａが、メタルタッチシール面として用いられる。
【００６１】
第一の実施形態ないし第四の実施形態に係る管継手１では、予めメタルタッチシール面を平面として形成した場合の例示である。これに対し、第五の実施形態に係る管継手１は、継手本体３にキャップ部材４を締付けることで、平面である本体錐面４１に、キャップ小径部３０の角部４０ａを圧接させて、本体錐面４１と角部４０ａとを面状で当接させることで、メタルタッチシール面としている。
【００６２】
この場合、メタルタッチシール面は、ねじ締結部分３６に対し径方向内方位置で、且つ挿入空間の径方向外方位置に配置されており、メタルタッチシール面により、継手本体３およびキャップ部材４の隙間は確実にシールされる。
【００６３】
他の実施形態として、例えば、全ての実施形態において、大径シールリング１１を省略することも可能である。この場合、継手本体３には、本体側大径シール収容凹部１２は形成されておらず、キャップ部材４には、キャップ側大径シール収容凹部３１は形成されない。
【００６４】
この構成において、例えば第一の実施形態の管継手１では、キャップ側第二当接面２４と本体側第二当接面２３とが軸心方向で当接することでメタルタッチシール面とされ、管体２Ａの最奥端面１５と継手本体３の段付面１６との隙間から流体が漏洩する場合でも、継手本体３およびキャップ部材４の隙間からの、管継手１の外部への流体の漏洩が抑制できる。
【００６５】
上記第二の実施形態では、キャップ側第一当接面と本体側第一当接面とが軸心方向で当接するメタルタッチシール面とされる場合を例示し、第一の実施形態、第三の実施形態、第四の実施形態、第五の実施形態では、キャップ側第二当接面と本体側第二当接面とが軸心方向で当接するメタルタッチシール面とされる場合を例示した。しかしながら、例えば、第一の実施形態、第三の実施形態、第四の実施形態、第五の実施形態の管継手１に、第二の実施形態で示したように、キャップ側第一当接面と本体側第一当接面とが軸心方向で当接するメタルタッチシール面とされる構成を併せ持つ管継手１とすることもできる。
【００６６】
上記各実施形態では、管継手１は一対の管継手部６Ａを一体に備えた場合を例示した。しかしながら、管継手部のうちの少なくとも一方が本発明の管継手部６Ａであればよく、他方の管継手部は本発明の管継手部６Ａでなくてもよい。
【００６７】
上記各実施形態では、当接シール面の一例として、金属材料製の部材どうしの当接面であるメタルタッチシール面を挙げた。しかしながら、当接シール面により継手本体３およびキャップ部材４の隙間が確実にシールされる構成であれば、金属材料製の部材どうしの当接面に特定されず、樹脂材料どうしの当接、樹脂材料と金属材料の当接構造とすることもできる。
【００６８】
なお、補助シールリング２６は必ずしも必要ではなく、結露が生じないような管体２Ａ，２Ｂを接続する場合には不要である。この場合では、補助シール収容部２７は不要である。また、管継手１により継がれる管体２Ａ，２Ｂは金属製に限定されず、金属と樹脂の複合管体であってもよい。
【符号の説明】
【００６９】
１…管継手、２Ａ，２Ｂ…管体、３…継手本体、４…キャップ部材、５，５…ロックリング、６Ａ…管継手部、７…本体側挿入空間、１０…開口部、１３…キャップ側第一当接面、１４…本体側第一当接面、１５…最奥端面、１６…段付面、１８…ロックリング収容部、１９…係止面、２３…本体側第二当接面、２４…キャップ側第二当接面、２５…キャップ側挿入空間、３２…小径部二次側端面、３３…押え面、３５，３５…小径シールリング、３６…締結部分
【図１】
2019090503.tif 000003
【図２】
2019090503.tif 000004
【図３】
2019090503.tif 000005
【図４】
2019090503.tif 000006
【図５】
2019090503.tif 000007
【図６】
2019090503.tif 000008